(57)【要約】【課題】テーパ雌ねじの検査を迅速かつ容易に行うことができるテーパ雌ねじ検査具及び検査方法を提供する。【解決手段】所定のテーパ雌ねじに螺合する雄ねじについて定められている規格内の上限のテーパ雄ねじと規格内の下限のテーパ雄ねじとを、一本の軸の両端に取り付けて検査具とする。また、この検査具を用いた検査では、検査具に備えた両方の雄ねじが検査対象のテーパ雌ねじに装着できれば、テーパ雌ねじが規格を満たしていると判断する。このような検査具及び検査方法によれば、検査対象のテーパ雌ねじを切断したり切断面を測定したりする必要が無い。【選択図】  図１
2005024388.tif 000002
【特許請求の範囲】
【請求項１】
所定のテーパ雌ねじに螺合する雄ねじについて定められている規格内の上限のテーパ雄ねじと、
前記規格内の下限のテーパ雄ねじと、を備えるテーパ雌ねじ検査具。
【請求項２】
前記上限のテーパ雄ねじ及び前記下限のテーパ雄ねじに、基準径の位置を示す切欠きを設けたことを特徴とする請求項１に記載のテーパ雌ねじ検査具。
【請求項３】
前記上限のテーパ雄ねじと前記下限のテーパ雄ねじを軸部の両端に設けたことを特徴とする請求項１または請求項２に記載のテーパ雌ねじ検査具。
【請求項４】
前記上限のテーパ雄ねじ及び前記下限のテーパ雄ねじの少なくとも一方に着脱可能な保護キャップをさらに備え、該保護キャップには所定のテーパ雌ねじ加工がされていることを特徴とする請求項１乃至請求項３のいずれかに記載のテーパ雌ねじ検査具。
【請求項５】
前記上限のテーパ雄ねじ及び前記下限のテーパ雄ねじの少なくとも一方に、所定の直径を有する検査軸をさらに備えたことを特徴とする請求項１乃至請求項４のいずれかに記載のテーパ雌ねじ検査具。
【請求項６】
前記テーパ、前記基準径、及び前記所定の直径は、カメラ用レリーズの規格に基づいて設定されたことを特徴とする請求項１乃至請求項５のいずれかに記載のテーパ雌ねじ検査具。
【請求項７】
請求項１乃至請求項６のいずれかに記載のテーパ雌ねじ検査具を用いたテーパ雌ねじ検査方法であって、前記上限のテーパ雄ねじがテーパ雌ねじに螺合し、かつ前記下限のテーパ雄ねじが該テーパ雌ねじに螺合する場合に、該テーパ雌ねじが規格を満たしていると判断することを特徴とするテーパ雌ねじ検査方法。
【発明の詳細な説明】
【０００１】
【発明の属する技術分野】
本発明はテーパ雌ねじ検査具及び検査方法に係り、特にテーパ雄ねじを用いたテーパ雌ねじの検査具及び検査方法に関するものである。
【０００２】
【従来の技術】
雌ねじの検査では、検査対象の雌ねじをセンター断面で切断し、その断面の寸法や角度を測定することが行われている。
【０００３】
また、雄ねじ状の治具を備えたねじ検査具が知られている（例えば、特許文献１参照）。特許文献１に記載のねじ検査具は、通り検査用ねじ山と止まり検査用ねじ山とを同一ねじリード上に備えており、それらのねじ山はＪＩＳ（日本工業規格）に規定された通りねじプラグゲージおよび止まりねじプラグゲージのねじ山に合致した寸法および形状に形成されている。
【０００４】
特許文献１に記載の検査具によるねじの検査は、通り検査用の検査用ねじ山が無理なく通る一方、止まり検査用のねじ山が無理なく通らずに止まれば検査対象のねじを合格と判断するものである。
【０００５】
【特許文献１】
特開２００２−３９７０６号公報（第１図）
【０００６】
【発明が解決しようとする課題】
しかしながら、上述のような従来の技術では、雌ねじを切断して測定するので検査が時間を要する困難なものとなっており、さらに破壊検査となるので無駄が多い。
【０００７】
また、特許文献１に記載のねじ検査具は、通りねじプラグゲージおよび止まりねじプラグゲージに合致したねじ山を同一ねじリード上に備えたものであるため、テーパねじを検査することはできない。
【０００８】
本発明は上記事情を鑑みてなされたものであり、テーパ雌ねじの検査を迅速かつ容易に行うことができるテーパ雌ねじ検査具及び検査方法を提供することを目的とする。
【０００９】
【課題を解決するための手段】
上記目的を達成するために、請求項１に係るテーパ雌ねじ検査具は、所定のテーパ雌ねじに螺合する雄ねじについて定められている規格内の上限のテーパ雄ねじと、前記規格内の下限のテーパ雄ねじと、を備えている。
【００１０】
請求項１に係るテーパ雌ねじ検査具では、検査対象のテーパ雌ねじに規格内の上限のテーパ雄ねじ及び下限のテーパ雄ねじの両方が装着できれば、そのテーパ雌ねじはテーパの上限および下限を満たしている、すなわち規格を満たしていると判断できる。また、この検査具では、検査対象のテーパ雌ねじを切断したり切断面を測定したりする必要が無く、テーパ雌ねじの検査を効率迅速かつ容易に行うことができ、非破壊検査なので無駄がない。
【００１１】
請求項２に係るテーパ雌ねじ検査具は、請求項１に記載のテーパ雌ねじ検査具において、前記上限のテーパ雄ねじ及び前記下限のテーパ雄ねじに、基準径の位置を示す切欠きを設けたことを特徴としている。
【００１２】
請求項２に係るテーパ雌ねじ検査具では、基準径の位置までねじ込まれたか否かが容易に判断でき、検査を確実に行うことができる。なお、このような基準径及び切欠きは、テーパの規格に応じて複数設けてよい。
【００１３】
請求項３に係るテーパ雌ねじ検査具は、請求項１または請求項２に記載のテーパ雌ねじ検査具において、前記上限のテーパ雄ねじと前記下限のテーパ雄ねじを軸部の両端に設けたことを特徴としている。
【００１４】
請求項３に係るテーパ雌ねじ検査具では１個の検査具でテーパ雌ねじの検査が可能であり、検査具を簡略化するとともに、より迅速に検査を行うことができる。
【００１５】
請求項４に係るテーパ雌ねじ検査具は、請求項１乃至請求項３のいずれかに記載のテーパ雌ねじ検査具において、前記上限のテーパ雄ねじ及び前記下限のテーパ雄ねじの少なくとも一方に着脱可能な保護キャップをさらに備え、該保護キャップには所定のテーパ雌ねじ加工がされていることを特徴としている。
【００１６】
請求項４に係るテーパ雌ねじ検査具では、保護キャップにはテーパの規格内と規格外、あるいはテーパの規格内の上限と下限のように複数のテーパ雌ねじ加工を行うことができる。また、テーパ雌ねじ加工を行うことで、検査具の先端を保護するとともに保護キャップをテーパ雌ねじのサンプルとして使用することができ、効率的で確実な検査を行うことができる。
【００１７】
なお、このような保護キャップは、上限のテーパ雄ねじ及び下限のテーパ雄ねじの両方に備えてもよい。
【００１８】
請求項５に係るテーパ雌ねじ検査具は、請求項１乃至請求項４のいずれかに記載のテーパ雌ねじ検査具において、前記上限のテーパ雄ねじ及び前記下限のテーパ雄ねじの少なくとも一方に、所定の直径を有する検査軸をさらに備えたことを特徴としている。
【００１９】
請求項５に係るテーパ雌ねじ検査具では、検査軸の直径を孔の径の規格に基づいて設定することで、テーパ雌ねじの孔の径を検査することができる。
【００２０】
請求項６に係るテーパ雌ねじ検査具は、請求項１乃至請求項５のいずれかに記載のテーパ雌ねじ検査具において、前記テーパ、前記基準径、及び前記所定の直径は、カメラ用レリーズの規格に基づいて設定されたことを特徴としている。
【００２１】
請求項６に係るテーパ雌ねじ検査具では、カメラ用レリーズのテーパ雌ねじを好適に検査することができる。
【００２２】
請求項７に係るテーパ雌ねじ検査方法は、請求項１乃至請求項６のいずれかに記載のテーパ雌ねじ検査具を用いたテーパ雌ねじ検査方法であって、前記上限のテーパ雄ねじがテーパ雌ねじに螺合し、かつ前記下限のテーパ雄ねじが該テーパ雌ねじに螺合する場合に、該テーパ雌ねじが規格を満たしていると判断することを特徴としている。
【００２３】
請求項７に係るテーパ雌ねじ検査方法では、検査対象のテーパ雌ねじが規格を満たしているか否かをテーパ上限および下限の雄ねじの螺合により判断するので、テーパ雌ねじの切断や測定が不要であり、迅速かつ容易に検査を行うことができる。
【００２４】
【発明の実施の形態】
以下、添付図面に従って、本発明に係るテーパ雌ねじ検査具及び検査方法の好ましい実施の形態について詳説する。
（第一の実施形態）
図１に、本実施の形態が適用されたテーパ雌ねじ検査具１０の概観図を示す。テーパ雌ねじ検査具１０は、本発明に係るテーパ雌ねじ検査具を、ＪＩＳ（日本工業規格）  Ｂ７１０４（図９参照）で規定されるカメラ用レリーズのテーパ雌ねじ検査に適用したものである。
【００２５】
図１（ａ）に示すように、テーパ雌ねじ検査具１０は、軸部１２の両端に、テーパ雄ねじ１４とテーパ雄ねじ１８が取り付けられて構成されている。
【００２６】
テーパ雄ねじ１４は、カメラ用レリーズのテーパ雄ねじについて定められた規格（ＪＩＳ（日本工業規格）    Ｂ７１０４；図９参照）の上限のテーパ雄ねじであり、テーパ雄ねじ１８は同じく下限のテーパ雄ねじである。すなわち、図１（ｂ）に示すように、テーパ雄ねじ１４は基準径（φ３．４ｍｍ）の位置が先端から１．４ｍｍであり、テーパ雄ねじ１８は基準径（φ３．４ｍｍ）の位置が先端から１．８ｍｍである。
【００２７】
また、テーパ雄ねじ１４およびテーパ雄ねじ１８には、基準径の位置を示す切欠き１６、および切欠き２０が設けられており、テーパ雌ねじに装着したときに、基準径の位置までねじ込まれたか否かが容易に判断できるようになっている。
【００２８】
なお、テーパ雄ねじ１４、テーパ雄ねじ１８とも、長さは３．０ｍｍである。この長さは、カメラ用レリーズについて定められたテーパ雄ねじの長さの最大であるが（図９参照）、これは最大の長さの雄ねじが検査対象の雌ねじに装着できれば、それ以下の長さの雄ねじはすべて装着できるからである。
【００２９】
図２は、テーパ雄ねじ１４とテーパ雄ねじ１８の形状及び寸法を比較するための断面図である。テーパ雄ねじ１４とテーパ雄ねじ１８は、長さ（３．０ｍｍ）、テーパ角度（２８ｄｅｇ）は等しいが、テーパ雄ねじ１４はテーパ雄ねじ１８より径が大きくなっている。なお、図２では比較のため切欠きを省略している。
【００３０】
次に、テーパ雌ねじ検査具１０を用いたテーパ雌ねじの検査について説明する。この検査は、本発明に係るテーパ雌ねじの検査方法を、カメラ用レリーズのテーパ雌ねじの検査に適用したものである。
【００３１】
図３に、テーパ雌ねじ９１にテーパ雄ねじ１４及びテーパ雄ねじ１８を装着したときの断面図を示す。図３（ａ）、図３（ｂ）に示すように、テーパ雄ねじ１４及びテーパ雄ねじ１８はテーパ雌ねじ９１に装着できる。このようなテーパ雌ねじ９１は、カメラ用レリーズのテーパ雌ねじに対するテーパの規格を満たしていると判断する。
【００３２】
図４に、テーパ雌ねじ９２にテーパ雄ねじ１４及びテーパ雄ねじ１８を装着したときの断面図を示す。図４（ａ）に示すように、テーパ雄ねじ１４はテーパ雌ねじ９２に装着できるが、テーパ雌ねじ９２は奥までねじが切れていないため、図４（ｂ）に示すようにテーパ雄ねじ１８を装着することはできない。このようなテーパ雌ねじ９２は、カメラ用レリーズのテーパ雌ねじに対するテーパの規格を満たしていないと判断する。
【００３３】
図５に、テーパ雌ねじ９３にテーパ雄ねじ１４及びテーパ雄ねじ１８を装着したときの断面図を示す。図５（ｂ）に示すように、テーパ雄ねじ１８はテーパ雌ねじ９３に装着できるが、テーパ雌ねじ９３はねじ孔の径が小さいため、図５（ａ）に示すようにテーパ雄ねじ１４を装着することはできない。このようなテーパ雌ねじ９３は、カメラ用レリーズのテーパ雌ねじに対するテーパの規格を満たしていないと判断する。
【００３４】
このように、テーパ雌ねじ検査具１０を用いた検査では、テーパ雌ねじがテーパの規格を満たしているか否かを、テーパ上限および下限の雄ねじの螺合により判断するので、テーパ雌ねじの切断や測定が不要であり、迅速かつ容易に検査を行うことができる。
（第二の実施形態）
図６に、本実施の形態が適用されたテーパ雌ねじ検査具１０’の概観図を示す。テーパ雌ねじ検査具１０’の形状及び寸法は第一の実施形態におけるテーパ雌ねじ検査具１０と同様であるが、テーパ雌ねじ検査具１０’にはテーパ雄ねじ１４’の先端に検査軸２２’が設けられている。
【００３５】
検査軸２２’の径はカメラ用レリーズのプランジャの規格（図９参照）の最大径に合わせて設定されている。これは、最大径の検査軸が雌ねじの孔に通れば、それ以下の径の検査軸はすべて孔を通るからである。
【００３６】
次に、テーパ雌ねじ検査具１０’を用いたテーパ雌ねじの検査について説明する。本発明に係るテーパ雌ねじの検査方法を、カメラ用レリーズのテーパ雌ねじの検査に適用したものである。
【００３７】
図７に、テーパ雌ねじ９４にテーパ雄ねじ１４’及びテーパ雄ねじ１８’を装着したときの断面図を示す。図７（ａ）、図７（ｂ）に示すように、テーパ雄ねじ１４’及びテーパ雌ねじ１８’はテーパ雌ねじ９４に装着できる。
【００３８】
ここで、テーパ雄ねじ１４’を装着する際に、検査軸２２’によりテーパ雌ねじ９４の孔９４ａの径を検査する。テーパ雌ねじ９４では、検査軸２２’が孔９４ａを通っている。このようなテーパ雌ねじ９４は、テーパ及び孔がカメラ用レリーズのテーパ雌ねじの規格を満たしていると判断する。
【００３９】
このように、テーパ雌ねじ検査具１０’を用いた検査では、テーパ雌ねじが規格を満たしているか否かを、テーパ雄ねじ１４’及びテーパ雄ねじ１８’の装着、また検査軸２２’により判断するので、テーパ雌ねじの切断や測定が不要であり、迅速かつ容易に検査を行うことができる。
【００４０】
なお、本実施の形態では、検査軸の直径を規格内の最大値に合わせて設定しているが、規格の最大値より大きな直径の検査軸と最小値より小さな直径の検査軸を設け、通り検査及び止まり検査により孔の径を検査するようにしてもよい。
（第三の実施形態）
図８に、本実施の形態が適用されたテーパ雌ねじ検査具１０”の概観図を示す。テーパ雌ねじ検査具１０”の形状及び寸法は第一の実施形態におけるテーパ雌ねじ検査具１０と同様である（図１参照）が、テーパ雄ねじ検査具１０”には保護キャップ３０”と保護キャップ３２”が設けられている。
【００４１】
図８（ｂ）に示すように、保護キャップ３０”にはカメラ用レリーズのテーパ雌ねじの規格（ＪＩＳ  Ｂ７１０４）を満たす雌ねじ加工がされている。この保護キャップ３０”には、テーパ上限の雄ねじ及び下限の雄ねじ、すなわちテーパ雄ねじ１４”及びテーパ雄ねじ１８”が装着可能である。
【００４２】
また、図８（ｃ）に示すように、保護キャップ３２”にもカメラ用レリーズのテーパ雌ねじの規格に基づく雌ねじ加工がされている。保護キャップ３２”ａは規格を満たす雌ねじ加工であり、テーパ上限の雄ねじ及び下限の雄ねじ、すなわちテーパ雄ねじ１４”及びテーパ雄ねじ１８”が装着可能である。保護キャップ３２”ｂには規格外のねじ加工がなされている。
【００４３】
なお、規格を満たす雌ねじ加工がされている保護キャップ３０”及び保護キャップ３２”ａと、規格外の雌ねじ加工がされている保護キャップ３２”ｂには、異なる色付け（本実施の形態では緑色と赤色）がなされており、使用者が容易に識別できるようになっている。
【００４４】
テーパ雌ねじ検査具１０”では、検査を行わないときは保護キャップ３０”及び保護キャップ３２”を装着しておくことにより、検査具の先端を保護することができる。また、これらの保護キャップを、規格を満たしている雌ねじ及び規格外の雌ねじのサンプルとすることで、検査対象の雌ねじが規格を満たしているか否かを容易に判断することができ、効率的で確実な検査を行うことができる。
【００４５】
なお、テーパ雌ねじ検査具１０”を用いた検査は、第一の実施形態の場合と同様にして行うことができる。
【００４６】
【発明の効果】
以上説明したように、本発明に係るテーパ雌ねじ検査具及び検査方法によれば、テーパ雌ねじの検査を迅速かつ容易に行うことができる
【図面の簡単な説明】
【図１】本発明の第一の実施形態に係るテーパ雌ねじ検査具の概観図である。
【図２】本発明の第一の実施の形態に係り、テーパ雄ねじの大きさの関係を示す図である。
【図３】本発明の第一の実施の形態に係り、テーパ雌ねじ検査の例を示す図である。
【図４】本発明の第一の実施の形態に係り、テーパ雌ねじ検査の他の例を示す図である。
【図５】本発明の第一の実施の形態に係り、テーパ雌ねじ検査の他の例を示す図である。
【図６】本発明の第二の実施形態に係るテーパ雌ねじ検査具の概観図である。
【図７】本発明の第二の実施の形態に係り、テーパ雌ねじ検査の例を示す図である。
【図８】本発明の第三の実施形態に係るテーパ雌ねじ検査具の概観図である。
【図９】カメラ用レリーズのテーパ雄ねじ及びテーパ雌ねじの規格（ＪＩＳ  Ｂ７１０４）を示す図である。
【符号の説明】
１０、１０’、１０”・・・テーパ雌ねじ検査具、１４、１４’、１４”・・・テーパ雄ねじ、１８、１８’、１８”・・・テーパ雄ねじ、１６、１６’、１６”・・・切欠き、２０、２０’、２０”・・・切欠き、２２’・・・検査軸、３０”、３２”・・・キャップ
【図１】
2005024388.tif 000003
【図２】
2005024388.tif 000004
【図３】
2005024388.tif 000005
【図４】
2005024388.tif 000006
【図５】
2005024388.tif 000007
【図６】
2005024388.tif 000008
【図７】
2005024388.tif 000009
【図８】
2005024388.tif 000010
【図９】
2005024388.tif 000011